(57)【要約】【課題】パネルの前半部または後半部のいずれの上でスライドトレイを利用するかを選択でき、利便性を高める。【解決手段】装置本体３０の前端部３０ａ、中間部３０ｂ、後端部３０ｃには、それぞれ左右方向に沿って、前側レール部３１、中間レール部３２、後側レール部３３が、互いに平行に形成されている。複数のスライドトレイＴＲのうち選択された１つを装置本体３０に装着する。例えば、スライドトレイＴＲ１を選択した場合は、その前側係合部ＴＲ１ａ、後側係合部ＴＲ１ｂを、それぞれ中間レール部３２、後側レール部３３に係合させる。これにより、スライドトレイＴＲ１が、中間レール部３２及び後側レール部３３に架け渡された状態で設置され、パネル２０の上において、左右方向の任意に位置にスライドトレイＴＲ１を位置させることができる。【選択図】図２
2010193249.tif 000002
【特許請求の範囲】
【請求項１】
ミキサ装置の装置本体に対して、該ミキサ装置のパネルの上を左右方向にスライド移動自在にスライドトレイを設置するためのミキサ装置のスライドトレイ設置構造であって、
前記装置本体の前端部に左右方向に沿って設けられた前側レール部と、
前記装置本体の後端部に左右方向に沿って設けられた後側レール部と、
前記装置本体の前記前端部と前記後端部との間の中間部に左右方向に沿って設けられた中間レール部とを有し、
前記装置本体に対して着脱自在な複数のスライドトレイのうち任意に選択したスライドトレイを前記装置本体に対して設置可能なように構成され、
前記複数のスライドトレイには、
前側係合部及び後側係合部を有し、前記前側係合部、前記後側係合部がそれぞれ前記前側レール部、前記中間レール部に係合し、前記前側レール部及び前記中間レール部に架け渡された状態で設置されて左右方向にスライド移動自在となる前側スライドトレイと、
前側係合部及び後側係合部を有し、前記前側係合部、前記後側係合部がそれぞれ前記中間レール部、前記後側レール部に係合し、前記中間レール部及び前記後側レール部に架け渡された状態で設置されて左右方向にスライド移動自在となる後側スライドトレイとが含まれることを特徴とするミキサ装置のスライドトレイ設置構造。
【請求項２】
前記中間レール部は１本であり、該１本の中間レール部は、前記前側スライドトレイの前記後側係合部、前記後側スライドトレイの前記前側係合部のいずれとも係合可能であることを特徴とする請求項１記載のミキサ装置のスライドトレイ設置構造。
【請求項３】
前記複数のスライドトレイにはさらに、前側係合部、中間係合部及び後側係合部を有し、前記前側係合部、前記中間係合部及び前記後側係合部がそれぞれ前記前側レール部、前記中間レール部及び前記後側レール部に係合し、前記前側レール部、前記中間レール部及び前記後側レール部に架け渡された状態で設置されて左右方向にスライド移動自在となる全面スライドトレイが含まれることを特徴とする請求項１または２記載のミキサ装置のスライドトレイ設置構造。
【請求項４】
前記中間レール部は前側と後側とに２本設けられ、前記前側スライドトレイは、その前記前側係合部、前記後側係合部が、それぞれ前記前側レール部、前記前側の中間レール部に同時に係合可能であり、前記後側スライドトレイは、その前記前側係合部、前記後側係合部が、それぞれ前記後側の中間レール部、前記後側レール部に同時に係合可能であることを特徴とする請求項１記載のミキサ装置のスライドトレイ設置構造。
【請求項５】
前記装置本体には、左右方向に沿って、前記中間レール部に対して固定的に、前記中間レール部から下方に延設された補強部材が設けられたことを特徴とする請求項１〜３のいずれか１項に記載のミキサ装置のスライドトレイ設置構造。
【請求項６】
操作子が設けられると共に、スライドトレイを左右方向にスライド移動自在に支持するパネルを有したミキサ装置であって、
前記パネルには、左右方向に沿って、前端部、後端部、前記前端部と前記後端部との間の中間部に、それぞれ前側レール部、後側レール部、中間レール部が設けられ、
前記ミキサ装置の装置本体には、左右方向に沿って、前記中間レール部に対して固定的に、前記中間レール部から下方に延設された補強部材が設けられたことを特徴とするミキサ装置。
【請求項７】
前記補強部材は、前記装置本体の底板から上方に突設され、その上端部に前記中間レール部が固定的に配設されていることを特徴とする請求項６記載のミキサ装置。
【請求項８】
前記パネルは、着脱自在な複数のスライドトレイのうち任意に選択したスライドトレイを設置可能なように構成され、前記複数のスライドトレイには、前側係合部及び後側係合部を有し、前記前側係合部、前記後側係合部がそれぞれ前記前側レール部、前記中間レール部に係合し、前記前側レール部及び前記中間レール部に架け渡された状態で設置されて左右方向にスライド移動自在となる前側スライドトレイと、前側係合部及び後側係合部を有し、前記前側係合部、前記後側係合部がそれぞれ前記中間レール部、前記後側レール部に係合し、前記中間レール部及び前記後側レール部に架け渡された状態で設置されて左右方向にスライド移動自在となる後側スライドトレイとが含まれることを特徴とする請求項６または７記載のミキサ装置。
【発明の詳細な説明】
【技術分野】
【０００１】
本発明は、ミキサ装置のパネルの上を左右方向にスライド移動自在にスライドトレイを設置するためのミキサ装置及び該装置のスライドトレイ設置構造に関する。
【背景技術】
【０００２】
従来、ミキサ装置には、小物等を置くことができるスライドトレイが左右方向にスライド移動自在に設置されるものが知られている。例えば、下記非特許文献１、２に示されるように、ミキサ装置の後端部と前後方向中間部とに、それぞれ左右方向に沿って平行に２本のレールを設けている。そして、これらのレールに、スライドトレイの後端部、前端部を摺動可能に係合させると、パネルとの間隔を有して、レールに沿ってスライドトレイを左右にスライドさせることができる。
【先行技術文献】
【非特許文献】
【０００３】
【非特許文献１】“Digidesign”、［online］、D-Control Script Tray、〔平成２０年９月２７日検索〕、インターネット＜ＵＲＬ：http://www.digidesign.com/index.cfm?langid=5&itemid=4924＞
【非特許文献２】“Sweetwater”、［online］、Digidesign ICON D-Control Script Tray、〔平成２０年９月２７日検索〕、インターネット＜ＵＲＬ：http://www.sweetwater.com/store/detail/DControlST＞
【発明の概要】
【発明が解決しようとする課題】
【０００４】
しかしながら、上記従来のスライドトレイ設置構造では、装置後端部と装置の前後方向中間部の２箇所に設けたレールでスライドトレイを支持するので、スライドトレイは、パネルの後半部の上のスペースしか利用できず、利便性を高める上で改善の余地があった。
【０００５】
また、スライドトレイを支持する上で、パネル面やレールの剛性が低いと撓んだり変形したりし、円滑なスライドを維持するのが困難になるため、工夫が求められる。
【０００６】
本発明は上記従来技術の問題を解決するためになされたものであり、その第１の目的は、パネルの前半部または後半部のいずれの上でスライドトレイを利用するかを選択でき、利便性を高めることができるミキサ装置のスライドトレイ設置構造を提供することにある。
【０００７】
本発明の第２の目的は、スライドトレイを支持するパネルの補強を図ると共に、３つのうち少なくとも２つのレール部を選択的に用いることを可能にして、適用するスライドトレイの選択肢を広げ、利便性を高めることができるミキサ装置を提供することにある。
【課題を解決するための手段】
【０００８】
上記第１の目的を達成するために本発明の請求項１のミキサ装置のスライドトレイ設置構造は、ミキサ装置（１００）の装置本体（３０）に対して、該ミキサ装置のパネル（１０、２０）の上を左右方向にスライド移動自在にスライドトレイを設置するためのミキサ装置のスライドトレイ設置構造であって、前記装置本体の前端部（３０ａ）に左右方向に沿って設けられた前側レール部（３１）と、前記装置本体の後端部（３０ｃ）に左右方向に沿って設けられた後側レール部（３３）と、前記装置本体の前記前端部と前記後端部との間の中間部（３０ｂ）に左右方向に沿って設けられた中間レール部（３２、５０）とを有し、前記装置本体に対して着脱自在な複数のスライドトレイ（ＴＲ１〜ＴＲ３、ＴＲ１１、ＴＲ１２）のうち任意に選択したスライドトレイを前記装置本体に対して設置可能なように構成され、前記複数のスライドトレイには、前側係合部（ＴＲ２ａ）及び後側係合部（ＴＲ２ｂ）を有し、前記前側係合部、前記後側係合部がそれぞれ前記前側レール部、前記中間レール部に係合し、前記前側レール部及び前記中間レール部に架け渡された状態で設置されて左右方向にスライド移動自在となる前側スライドトレイ（ＴＲ２）と、前側係合部（ＴＲ１ａ、４３）及び後側係合部（ＴＲ１ｂ、４３）を有し、前記前側係合部、前記後側係合部がそれぞれ前記中間レール部、前記後側レール部に係合し、前記中間レール部及び前記後側レール部に架け渡された状態で設置されて左右方向にスライド移動自在となる後側スライドトレイ（ＴＲ１）とが含まれることを特徴とする。
【０００９】
好ましくは、前記中間レール部（３２）は１本であり、該１本の中間レール部は、前記前側スライドトレイの前記後側係合部、前記後側スライドトレイの前記前側係合部のいずれとも係合可能である（請求項２）。
【００１０】
好ましくは、前記複数のスライドトレイにはさらに、前側係合部（ＴＲ３ａ）、中間係合部（ＴＲ３ｃ）及び後側係合部（ＴＲ３ｂ）を有し、前記前側係合部、前記中間係合部及び前記後側係合部がそれぞれ前記前側レール部、前記中間レール部及び前記後側レール部に係合し、前記前側レール部、前記中間レール部及び前記後側レール部に架け渡された状態で設置されて左右方向にスライド移動自在となる全面スライドトレイ（ＴＲ３）が含まれる（請求項３）。
【００１１】
好ましくは、前記中間レール部は前側と後側とに２本設けられ（３２−１、３２−２）、前記前側スライドトレイ（ＴＲ１２）は、その前記前側係合部（ＴＲ１２ａ）、前記後側係合部（ＴＲ１２ｂ）が、それぞれ前記前側レール部（３１）、前記前側の中間レール部（３２−１）に同時に係合可能であり、前記後側スライドトレイ（ＴＲ１１）は、その前記前側係合部（ＴＲ１１ａ）、前記後側係合部（ＴＲ１１ｂ）が、それぞれ前記後側の中間レール部（３２−２）、前記後側レール部（３３）に同時に係合可能である（請求項４）。
【００１２】
好ましくは、前記装置本体には、左右方向に沿って、前記中間レール部（５０）に対して固定的に、前記中間レール部から下方に延設された補強部材（３６）が設けられる（請求項５）。
【００１３】
上記第２の目的を達成するために本発明の請求項６のミキサ装置は、操作子が設けられると共に、スライドトレイを左右方向にスライド移動自在に支持するパネルを有したミキサ装置であって、前記パネルには、左右方向に沿って、前端部、後端部、前記前端部と前記後端部との間の中間部に、それぞれ前側レール部（３１）、後側レール部（３３）、中間レール部（５０）が設けられ、前記ミキサ装置の装置本体には、左右方向に沿って、前記中間レール部に対して固定的に、前記中間レール部から下方に延設された補強部材（３６）が設けられたことを特徴とする。
【００１４】
好ましくは、前記補強部材は、前記装置本体の底板（３７）から上方に突設され、その上端部（３６ｂ）に前記中間レール部が固定的に配設されている（請求項７）。
【００１５】
好ましくは、前記パネルは、着脱自在な複数のスライドトレイのうち任意に選択したスライドトレイを設置可能なように構成され、前記複数のスライドトレイには、前側係合部及び後側係合部を有し、前記前側係合部、前記後側係合部がそれぞれ前記前側レール部、前記中間レール部に係合し、前記前側レール部及び前記中間レール部に架け渡された状態で設置されて左右方向にスライド移動自在となる前側スライドトレイと、前側係合部（４３）及び後側係合部（４３）を有し、前記前側係合部、前記後側係合部がそれぞれ前記中間レール部、前記後側レール部に係合し、前記中間レール部及び前記後側レール部に架け渡された状態で設置されて左右方向にスライド移動自在となる後側スライドトレイ（ＴＲ１）とが含まれる（請求項８）。
【００１６】
なお、上記括弧内の符号は例示である。
【発明の効果】
【００１７】
本発明の請求項１によれば、パネルの前半部または後半部のいずれの上でスライドトレイを利用するかを選択でき、利便性を高めることができる。
【００１８】
請求項２によれば、１本の中間レール部が、前側／後側のスライドトレイの支持機能を兼ねるようにして、構成の複雑化を避けることができる。
【００１９】
請求項３によれば、パネルの前半部、後半部、全体のいずれの上でスライドトレイを利用するかを選択でき、選択のバリエーションが増えて利便性が一層高まる。
【００２０】
請求項４によれば、パネルの前半部及び後半部に別々のスライドトレイを一緒に設置して個々にスライドでき、利便性を高めることができる。
【００２１】
請求項５によれば、スライドトレイを支持するパネルの補強を図ることができる。
【００２２】
本発明の請求項６によれば、スライドトレイを支持するパネルの補強を図ると共に、３つのうち少なくとも２つのレール部を選択的に用いることを可能にして、適用するスライドトレイの選択肢を広げ、利便性を高めることができる。
【００２３】
請求項７によれば、パネルの一層の補強を図ると共に、補強部材を外観に現れないように配設するのを容易にすることができる。
【００２４】
請求項８によれば、パネルの前半部または後半部のいずれの上でスライドトレイを利用するかを選択でき、利便性を高めることができる。
【図面の簡単な説明】
【００２５】
【図１】本発明の第１の実施の形態に係るスライドトレイ設置構造が適用されるミキサ装置の斜視図である。
【図２】ミキサ装置の右側面図（図（ａ））、装置本体の中間部の左右方向中間位置における部分縦断面図（図（ｂ））である。
【図３】ミキサ装置の右側面図（図（ａ）、（ｂ））である。
【図４】装置本体の後端部の右端部の平面図（図（ａ））、図４（ａ）のＡ−Ａ線に沿う断面図（図（ｂ））である。
【図５】本発明の第２の実施の形態に係るスライドトレイ設置構造が適用されるミキサ装置の右側面図（図（ａ））、装置本体の中間部の左右方向中間位置における部分縦断面図（図（ｂ））である。
【図６】後側スライドトレイを前側スライドトレイに代用した例を示すミキサ装置の右側面図（図（ａ））、後側スライドトレイと中間レール部とに変更を施した例を示す断面図（図（ｂ））である。
【図７】本発明の第３の実施の形態に係るスライドトレイ設置構造が適用されるミキサ装置の縦断面の部分斜視図（図（ａ））、中間レール部材近傍の模式的な断面図（図（ｂ））、後側レール部近傍の模式的な断面図（図（ｃ））である。
【発明を実施するための形態】
【００２６】
以下、本発明の実施の形態を図面を参照して説明する。
【００２７】
（第１の実施の形態）
図１は、本発明の第１の実施の形態に係るスライドトレイ設置構造が適用されるミキサ装置の斜視図である。このミキサ装置１００は、装置本体３０の前半部、後半部の各上方が、前後２つのコントロールパネル１０、２０にそれぞれ覆われてなる。コントロールパネル（以下、単に「パネル」という）１０、２０は、前後に配設され、パネル１０が配設される側を前側とする。操作者はミキサ装置１００の前側に位置するとし、左右方向については操作者からみた方向を基準とする。
【００２８】
パネル１０には、多数の操作子１３が配設される。パネル２０には、多数の操作子２３のほか、ＬＣＤでなる表示部２４が配設される。操作子１３、２３には、スライド式のフェーダ操作子のほか、回転式、押下式等の各種操作子が含まれる。また、パネル１０、２０に配設されるものには、操作子や表示部だけでなく、ＬＥＤも含まれる。パネル１０にも表示部２４に相当するものが設けられていてもよい。
【００２９】
装置本体３０の上部の左右両側には、ツバ部３４、３５が設けられる。右側のツバ部３５は、装置本体３０の右側面３０ｄよりも右側方に少し突出している。ツバ部３４についても左右対称に同様に構成される。
【００３０】
パネル１０、２０はいずれも、左右方向においてツバ部３４、３５の間に配設される。そして、パネル１０は、装置本体３０の前端部３０ａから前後方向における中間部３０ｂまでの間を覆っている。パネル２０は、装置本体３０の中間部３０ｂから後端部３０ｃまでの間を覆っている。
【００３１】
本実施の形態では、装置本体３０に、複数のスライドトレイＴＲが択一的に着脱自在である。スライドトレイＴＲの種類については、図２、図３で説明する。
【００３２】
図２（ａ）、図３（ａ）、（ｂ）は、ミキサ装置１００の右側面図である。図２（ａ）、図３（ａ）、（ｂ）では、それぞれ、複数のスライドトレイＴＲのうち選択された１つのスライドトレイＴＲが設置された状態を示す。図２（ｂ）は、装置本体３０の中間部３０ｂの左右方向中間位置における部分縦断面図である。
【００３３】
スライドトレイＴＲには、前側スライドトレイＴＲ２、後側スライドトレイＴＲ１、全面スライドトレイＴＲ３がある。各スライドトレイＴＲの左右方向の幅は、装置本体３０の全幅より小さければよく、例えば、半分程度である。各スライドトレイＴＲは、フラットな面を有し、簡易な小物置として利用できる。また、各スライドトレイＴＲは、好ましくは半透明で、パネル１０、２０の面が透視可能である。
【００３４】
後側スライドトレイＴＲ１は、前端部、後端部において下方に延設された前側係合部ＴＲ１ａ、後側係合部ＴＲ１ｂを有する（図２（ａ）参照）。前側スライドトレイＴＲ２は、前端部、後端部において下方に延設された前側係合部ＴＲ２ａ、後側係合部ＴＲ２ｂを有する（図３（ａ）参照）。全面スライドトレイＴＲ３は、前端部、前後方向中間部、後端部においてそれぞれ下方に延設された、前側係合部ＴＲ３ａ、中間係合部ＴＲ３ｃ、後側係合部ＴＲ３ｂを有している（図３（ｂ）参照）。
【００３５】
図１に示すように、装置本体３０の前端部３０ａ、中間部３０ｂ、後端部３０ｃには、それぞれ左右方向に沿って、前側レール部３１、中間レール部３２、後側レール部３３が、互いに平行に形成されている。これらレール部３１〜３３は、ツバ部３４とツバ部３５との間において設けられる。
【００３６】
中間レール部３２については、図２（ｂ）に示すように、装置本体３０の中間部３０ｂにおいて、上方に開口した１本の凹溝として形成される。中間レール部３２には、後側スライドトレイＴＲ１の前側係合部ＴＲ１ａ、前側スライドトレイＴＲ２の後側係合部ＴＲ２ｂ（図３（ａ）参照）、全面スライドトレイＴＲ３の中間係合部ＴＲ３ｃ（図３（ｂ）参照）が、択一的に摺動自在に係合可能である。
【００３７】
図４（ａ）は、装置本体３０の後端部３０ｃの右端部の平面図である。図４（ｂ）は、図４（ａ）のＡ−Ａ線に沿う断面図である。後側レール部３３も、図４（ａ）、（ｂ）に示すように、後端部３０ｃにおいて、上方に開口した凹溝として形成される。後側レール部３３には、後側スライドトレイＴＲ１の後側係合部ＴＲ１ｂ、全面スライドトレイＴＲ３の後側係合部ＴＲ３ｂが、択一的に摺動自在に係合可能である。
【００３８】
前側レール部３１については、その断面を図示しないが、中間レール部３２と同様に構成される。前側レール部３１には、前側スライドトレイＴＲ２の前側係合部ＴＲ２ａ（図３（ａ）参照）、全面スライドトレイＴＲ３の前側係合部ＴＲ３ａ（図３（ｂ）参照）が、択一的に摺動自在に係合可能である。
【００３９】
３種類のスライドトレイＴＲは、ミキサ装置１００の購入当初から付属している。あるいは、別売りとして、所望のものだけを後からユーザが購入する形態としてもよい。
【００４０】
スライドトレイＴＲが３種類用意されているとして、ユーザは、それらのうち所望のものを１つ選択し、装置本体３０に装着する。すなわち、選択したスライドトレイＴＲの係合部を、上記した係合可能なレール部に係合させる。
【００４１】
例えば、後側スライドトレイＴＲ１を選択した場合は、図１、図２（ａ）に示すように、その前側係合部ＴＲ１ａ、後側係合部ＴＲ１ｂを、それぞれ中間レール部３２、後側レール部３３に係合させる。これにより、後側スライドトレイＴＲ１が、中間レール部３２及び後側レール部３３に架け渡された状態で設置される。そして、後側スライドトレイＴＲ１のフラットな面がパネル２０に対して所定の間隔を維持した状態で、左右方向の任意に位置に後側スライドトレイＴＲ１を位置させることができる。
【００４２】
後側スライドトレイＴＲ１または全面スライドトレイＴＲ３を選択した場合は、それぞれ、パネル１０の上、パネル１０及びパネル２０の上において、左右方向の任意に位置に後側スライドトレイＴＲ１、ＴＲ３を位置させることができる（図３（ａ）、（ｂ）参照）。
【００４３】
本実施の形態によれば、それぞれスライドする位置が異なるスライドトレイＴＲを複数用意し、所望のスライドトレイＴＲを１つ選択して装着可能にしたので、パネル１０の上、パネル２０の上、またはパネル１０、２０の全体のいずれの上でスライドトレイＴＲを利用するかを選択でき、利便性を高めることができる。選択のバリエーションが３つあるので、利便性が高い。
【００４４】
また、中間レール部３２は、後側スライドトレイＴＲ１の前側係合部ＴＲ１ａ、前側スライドトレイＴＲ２の後側係合部ＴＲ２ｂ（図３（ａ）参照）、全面スライドトレイＴＲ３の中間係合部ＴＲ３ｃのいずれとも係合可能である。これにより、中間レール部３２は、それ自体は１本でありながら、スライドトレイＴＲ１、ＴＲ２、ＴＲ３の支持機能を兼ねるようにして、構成の複雑化を避けることができる。
【００４５】
なお、レール部３１〜３３は、凹状の溝部とし、スライドトレイＴＲの係合部を突部としたが、これに限られない。例えば、凹凸関係を、これとは逆にしてもよい。
【００４６】
なお、全面スライドトレイＴＲ３については、頑丈に構成すれば、中間係合部ＴＲ３ｃを廃止し、前側係合部ＴＲ３ａ、後側係合部ＴＲ３ｂのみで支持されるように構成してもよい。
【００４７】
（第２の実施の形態）
本発明の第２の実施の形態では、前後２種類のスライドトレイＴＲを個別にスライド自在に一緒に装着状態にする構成を採用する。
【００４８】
図５（ａ）は、本発明の第２の実施の形態に係るスライドトレイ設置構造が適用されるミキサ装置の右側面図である。図５（ｂ）は、装置本体３０の中間部３０ｂの左右方向中間位置における部分縦断面図である。
【００４９】
図５（ｂ）に示すように、中間部３０ｂには、第１の実施の形態における中間レール部３２に相当するものが２本、前後に近接して平行に形成される。これらを前側中間レール部３２−１、後側中間レール部３２−２と記す。また、本実施の形態では、スライドトレイＴＲ１、ＴＲ２に代えて、後側スライドトレイＴＲ１１、前側スライドトレイＴＲ１２を選択肢として用意する。その他の構成は第１の実施の形態と同様である。
【００５０】
後側スライドトレイＴＲ１１を選択した場合は、後側スライドトレイＴＲ１１の前側係合部ＴＲ１１ａ、後側係合部ＴＲ１１ｂ（図５（ａ）参照）を、それぞれ後側中間レール部３２−２、後側レール部３３（図１参照）に係合させる。一方、前側スライドトレイＴＲ１２を選択した場合は、前側スライドトレイＴＲ１２の前側係合部ＴＲ１２ａ（図５（ａ）参照）、後側係合部ＴＲ１２ｂを、それぞれ前側レール部３１（図１参照）、前側中間レール部３２−１に係合させる。スライドトレイＴＲ１１、ＴＲ１２については、用いるレール部が競合しないので、双方を同時に選択し、一緒に装着状態にすることも可能である。
【００５１】
全面スライドトレイＴＲ３については、その中間係合部ＴＲ３ｃは、前側中間レール部３２−１、後側中間レール部３２−２のいずれかに係合するように構成する。
【００５２】
本実施の形態によれば、第１の実施の形態と同様の効果を奏するだけでなく、スライドトレイＴＲ１１、ＴＲ１２については、単独で設置可能であることはもちろんのこと、双方を一緒に設置して、個別に左右方向にスライド可能にすることもできる。従って、利便性を一層高めることができる。
【００５３】
ところで、上記第１の実施の形態において、後側スライドトレイＴＲ１を、前後の向きを変えて用い、前側スライドトレイＴＲ２に代用するようにしてもよい。
【００５４】
図６（ａ）は、後側スライドトレイＴＲ１を前側スライドトレイＴＲ２に代用した例を示すミキサ装置の右側面図である。これは、第１の実施の形態と全く同一構成でも実現可能であるが、より利用しやすくするために、図６（ｂ）に示すように、後側スライドトレイＴＲ１と中間レール部３２とに変更を施すのが望ましい。
【００５５】
すなわち、後側スライドトレイＴＲ１の前側係合部ＴＲ１ａの前端を丸くする。さらに、中間レール部３２の凹形状は、前側係合部ＴＲ１ａの前端に対応してＲ形状とし、前方への開口を大きめにとる。これは、後側スライドトレイＴＲ１の前後方向を逆にすると、後ろ側となる前側係合部ＴＲ１ａの角度が前傾することに対処するためである。これらと同様に、後側係合部ＴＲ１ｂの前端形状及び前側レール部３１（図１参照）の凹形状についても変更するのがよい。
【００５６】
これによれば、前側スライドトレイＴＲ２を廃止しても、第１の実施の形態と同様の効果を奏することができるので、部品点数削減に寄与する。ところで、後側スライドトレイＴＲ１の前後方向が逆になったとき、図６（ａ）に示すように、水平となる部分（水平部８）が生じるため、無理なく使用することができる。
【００５７】
（第３の実施の形態）
本発明の第３の実施の形態では、スライドトレイＴＲの係合部に車輪を採用すると共に、凹溝の中間レール部３２に代えて湾曲した凹面を有する中間レール部材を採用した構成を例示する。
【００５８】
図７（ａ）は、本発明の第３の実施の形態に係るスライドトレイ設置構造が適用されるミキサ装置の縦断面の部分斜視図である。図７（ｂ）は、中間レール部材近傍の模式的な断面図である。図７（ｃ）は、後側レール部３３近傍の模式的な断面図である。
【００５９】
図７（ｂ）に示すように、パネル１０、パネル２０はそれぞれ、回動支点Ｐ１、Ｐ２を中心に回動可能に配設される。これにより、パネル１０、パネル２０を開けて内部を開放し、部品装着作業やメンテナンスを行いやすくなっている。そして、パネル１０、パネル２０が、図７（ｂ）に示す、製品としての正規の回動角度に配設された状態で、上側からパネル１０とパネル２０とに架け渡されるような形で中間レール部材５０が被せられる。
【００６０】
図７（ａ）に示すように、装置本体３０の内部においては、パネル１０、２０の中間に、上下及び左右方向に平行な鉛直リブ３６が設けられる。鉛直リブ３６は、下端部に折曲部３８、上端部に折曲部３６ｂ（図７（ｂ））を有し、折曲部３８が装置本体３０の底板３７に当接している。鉛直リブ３６は、複数箇所の固定部３９を介して底板３７に固定される。
【００６１】
固定部３９は、底板３７に突設されたタップ部３９ｃと、鉛直リブ３６に設けられた固定片３９ｂとを有し、ネジ３９ａによって、タップ部３９ｃに固定片３９ｂが螺着されることで、鉛直リブ３６が底板３７に固定される。鉛直リブ３６には、配線や放熱用の穴３６ａが複数形成されている。
【００６２】
図７（ｂ）に示すように、中間レール部材５０は、前方の前方延設部５１と、後方上方に延設された後方延設部５２とを有し、これら前方延設部５１、後方延設部５２がパネル１０、２０を押さえる機能を果たすと共に、パネル１０、２０の接続部分と鉛直リブ３６とを目隠しする機能を果たす。
【００６３】
図７（ｂ）に示すように、中間レール部材５０の下部には、当接部５４が前後に形成され、全体として下方に開口した側面視コ字状を呈している。これら当接部５４は、左右方向全長に亘って形成され、断面２次モーメントが大きいことから、中間レール部材５０自体の剛性が高まっている。パネル１０の後端部には、段差部を経て水平部１４が延設形成されている。水平部１４の上側から鉛直リブ３６の折曲部３６ｂが当接している。当接部５４は、折曲部３６ｂの上面に当接しており、中間レール部材５０、折曲部３６ｂ、水平部１４が、上方からネジ５５で共締め状態で螺着固定されている。中間レール部材５０の真下に鉛直リブ３６があるので、中間レール部材５０は比較的大きい力を受けても撓まない。
【００６４】
中間レール部材５０の上面は、緩やかな曲面を有する凹面５３となっている。この中間レール部材５０（の特に凹面５３）が、第１、第２の実施の形態における中間レール部３２と同様に、スライドトレイＴＲの係合部をスライド自在に支持するレール部としての機能を果たす。この意味で、中間レール部材５０乃至凹面５３も、特許請求の範囲にいう「レール部」に含まれる。
【００６５】
図７（ｂ）、（ｃ）では、スライドトレイＴＲの代表として後側スライドトレイＴＲ１を示す。図７（ｂ）、（ｃ）に示すように、後側スライドトレイＴＲ１の本体部９の前端部、後端部には、車輪部４０が取り付けられ、これら車輪部４０が、前側係合部ＴＲ１ａ、後側係合部ＴＲ１ｂ（図２（ａ）参照）に相当する。前側スライドトレイＴＲ２、全面スライドトレイＴＲ３についても係合部は同様に構成され、車輪部４０が採用される。
【００６６】
図７（ｂ）、（ｃ）に示すように、車輪部４０においては、連結材４１の下部に、前後方向に沿った回転軸４２を中心に車輪４３が軸支されている。連結材４１の上部が本体部９に連結されている。
【００６７】
本実施の形態によれば、第１の実施の形態と同様の効果を奏するだけでなく、車輪部４０により、スライドトレイＴＲのスライド移動がより円滑になる。また、中間レール部材５０の剛性を高め、ひいてはパネル１０の補強を図り、スライドトレイＴＲのスライド移動を円滑に維持することができる。
【００６８】
なお、上記した第１、第２の実施の形態（図１〜図５）においても、各スライドトレイＴＲに車輪部４０を採用してもよく、それと共に中間レール部材５０も採用してもよい。
【００６９】
なお、鉛直リブ３６は、中間レール部材５０乃至パネル１０を補強する観点からは、左右方向に沿って、中間レール部材５０に対して固定的に、中間レール部材５０から下方に延設されていればよく、底板３７から突設されていればなおよい。
【符号の説明】
【００７０】
１０、２０  コントロールパネル、  ３０  装置本体、  ３０ａ  前端部、  ３０ｂ  中間部、  ３０ｃ  後端部、  ３１  前側レール部、  ３２  中間レール部、  ３２−１  前側中間レール部、  ３２−２  後側中間レール部、  ３３  後側レール部、  ３６  鉛直リブ（補強部材）、  ３６ｂ  折曲部（上端部）、  ３７  底板、  ４３  車輪（前側係合部、後側係合部）、  ５０  中間レール部材（中間レール部）  １００  ミキサ装置、  ＴＲ１  後側スライドトレイ、  ＴＲ１ａ  前側係合部、  ＴＲ１ｂ  後側係合部、  ＴＲ２  前側スライドトレイ、  ＴＲ２ａ  前側係合部、  ＴＲ２ｂ  後側係合部、  ＴＲ３  全面スライドトレイ、  ＴＲ３ａ  前側係合部、  ＴＲ３ｂ  後側係合部、  ＴＲ３ｃ  中間係合部、  ＴＲ１１  後側スライドトレイ、  ＴＲ１１ａ  前側係合部、  ＴＲ１１ｂ  後側係合部、  ＴＲ１２  前側スライドトレイ、  ＴＲ１２ａ  前側係合部、  ＴＲ１２ｂ  後側係合部
【図１】
2010193249.tif 000003
【図２】
2010193249.tif 000004
【図３】
2010193249.tif 000005
【図４】
2010193249.tif 000006
【図５】
2010193249.tif 000007
【図６】
2010193249.tif 000008
【図７】
2010193249.tif 000009